(57)【要約】【課題】放送チャンネルの追加サーチ終了時に、追加サーチにより登録しようとする放送チャンネルと、既に登録されている放送チャンネルとを交互又は同時に表示させて比較できるようにする。【解決手段】テレビジョン放送受信装置１０は、放送信号を受信するチューナ１２と、複数のチャンネル選局キー３１を備えたリモコン３０と、チューナ１２で受信した放送信号の放送チャンネルをチャンネル選局キー３１に対応付けて『現在のチャンネルマップ』として記憶する記憶部２０とを備える。テレビジョン放送受信装置１０は、放送チャンネルの追加サーチ時に、『現在のチャンネルマップ』で受信できない放送チャンネルに対応するチャンネル選局キー３１に対して、前記追加サーチにより新たに受信された放送チャンネルを割り当てて『新規のチャンネルマップ』を生成し、『現在のチャンネルマップ』と『新規のチャンネルマップ』を交互又は同時に表示部１６に表示する。【選択図】図１
2007060056.tif 000002
【特許請求の範囲】
【請求項１】
テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置において、前記受信手段により放送チャンネルを追加サーチしたときに、前記第１のチャンネルマップで受信できない放送チャンネルに対応する前記操作入力手段のチャンネル選局キーに対して、前記追加サーチにより新たに受信された放送チャンネルを割り当てて第２のチャンネルマップを生成する手段と、前記第１のチャンネルマップと前記第２のチャンネルマップとを交互あるいは同時に表示する表示手段と、を備えていることを特徴とするテレビジョン放送受信装置。
【請求項２】
請求項１に記載のテレビジョン放送受信装置において、前記表示手段は、前記第１のチャンネルマップと前記第２のチャンネルマップとを所定時間毎に交互に切り替えて表示することを特徴とするテレビジョン放送受信装置。
【請求項３】
請求項１に記載のテレビジョン放送受信装置において、前記表示手段は、前記操作入力手段が備えるチャンネルマップ表示キーによる操作に従って、前記第１のチャンネルマップと前記第２のチャンネルマップとを交互に切り替えて表示することを特徴とするテレビジョン放送受信装置。
【請求項４】
請求項２又は３に記載のテレビジョン放送受信装置において、前記第１のチャンネルマップと前記第２のチャンネルマップのいずれか一方が表示されているときに、前記操作入力手段が備える決定キーが押下されると、前記第２のチャンネルマップを前記第１のチャンネルマップに上書きして前記記憶手段に登録することを特徴とするテレビジョン放送受信装置。
【請求項５】
請求項１に記載のテレビジョン放送受信装置において、前記表示手段は、前記第１のチャンネルマップと前記第２のチャンネルマップとを所定時間同時に表示することを特徴とするテレビジョン放送受信装置。
【請求項６】
請求項１に記載のテレビジョン放送受信装置において、前記表示手段は、前記操作入力手段が備えるチャンネルマップ表示キーによる操作に従って、前記第１のチャンネルマップと前記第２のチャンネルマップとを同時に表示することを特徴とするテレビジョン放送受信装置。
【請求項７】
請求項５又は６に記載のテレビジョン放送受信装置において、前記第１のチャンネルマップと前記第２のチャンネルマップとが同時に表示されているときに、前記操作入力手段が備える決定キーが押下されると、前記第２のチャンネルマップを前記第１のチャンネルマップに上書きして前記記憶手段に登録することを特徴とするテレビジョン放送受信装置。
【請求項８】
請求項２乃至７のいずれか１に記載のテレビジョン放送受信装置において、前記表示手段は、前記第１のチャンネルマップで受信できない放送チャンネルと、前記第２のチャンネルマップで新たに受信された放送チャンネルとが識別可能なように表示することを特徴とするテレビジョン放送受信装置。
【請求項９】
請求項１乃至８のいずれか１に記載のテレビジョン放送受信装置において、前記操作入力手段は、前記テレビジョン放送受信装置を遠隔操作可能なリモートコントロール装置であることを特徴とするテレビジョン放送受信装置。
【請求項１０】
テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置の放送チャンネル追加サーチ方法において、前記受信手段により放送チャンネルを追加サーチしたときに、前記第１のチャンネルマップで受信できない放送チャンネルに対応する前記操作入力手段のチャンネル選局キーに対して、前記追加サーチにより新たに受信された放送チャンネルを割り当てて第２のチャンネルマップを生成するステップと、前記第１のチャンネルマップと前記第２のチャンネルマップとを交互あるいは同時に表示するステップと、を有することを特徴とする放送チャンネル追加サーチ方法。
【発明の詳細な説明】
【技術分野】
【０００１】
本発明は、テレビジョン放送受信装置及び放送チャンネル追加サーチ方法、より詳細には、放送チャンネルの追加サーチ終了時に、これから登録しようとしている放送チャンネルと以前の放送チャンネルとを比較できるようにしたテレビジョン放送受信装置及び該装置の放送チャンネル追加サーチ方法に関する。
【背景技術】
【０００２】
ＢＳデジタル放送、ＣＳデジタル放送、及び地上波デジタル放送などのデジタル放送の普及に伴って、新しい放送チャンネルがますます増加していく傾向にある。このような新しい放送チャンネルを登録するために、放送チャンネルの追加サーチ機能を備えたテレビジョン放送受信装置が知られている。従来のテレビジョン放送受信装置では、追加サーチ終了後の登録確認時に、画面上に、リモコンが備えるチャンネル選局キー（リモコン番号）と、対応する放送チャンネル（チャンネル番号）の一覧が表示され、追加サーチで受信できなかった放送チャンネルの表示位置（すなわち、リモコンのチャンネル選局キー）に、新しく見つかった放送チャンネル（チャンネル番号）を順番に上書き登録している。
【０００３】
上記のように、放送チャンネルの追加サーチにおいては、追加サーチで受信できなかったチャンネル番号が、新しく見つかったチャンネル番号で上書きされて表示されるため、ユーザは以前の登録状態を知ることができず、追加サーチで受信できなかったチャンネル番号がどれかであったかを知ることができない。これを知るには、追加サーチ処理を一旦キャンセルして、以前の登録状態に戻す必要がある。
【０００４】
従来の追加サーチ処理に関して、例えば、特許文献１には、以前行われたチャンネル初期設定時に記憶されたチャンネルマップに放送信号有りとして登録されたチャンネル以外のチャンネルについてのみ放送信号の有無の判別をおこなって、新規に放送信号を検出したチャンネル情報を、上記チャンネルマップに放送信号有りとして追加登録する受信装置が開示されている。
【０００５】
また、例えば、特許文献２には、ユーザによって新規データの追加、修正を行うことができるようにした受信装置が開示されている。これは、複数の受信チャンネルに対応する受信周波数を記憶するメモリと、その受信周波数に同調する電波を受信する受信部と、メモリ及び受信部を制御する制御手段とを備え、制御手段によりメモリから所定の順序に従って各受信チャンネルの受信周波数を読み出して受信部を動作させる受信装置において、メモリは、受信周波数が固定的に書き込まれるＲＯＭと、受信周波数が書き換え可能に書き込まれるＲＡＭとを有し、受信周波数データをＲＡＭに追加的に登録できるようにしたものである。
【特許文献１】特開２００４−３２０３９７号公報
【特許文献２】特開平６−９０１３９号公報
【発明の開示】
【発明が解決しようとする課題】
【０００６】
上記特許文献１及び特許文献２には、以前のチャンネルマップに、新たにサーチされた放送チャンネルを追加する構成が開示されている。すなわち、メモリにチャンネルマップを上書きすることなく、新たに検出されたチャンネル情報のみがメモリのチャンネルマップに追加登録されるため、２回目以降のチャンネル設定にかかる時間を短縮することができる。
【０００７】
しかしながら、上記の構成では、追加検出されたチャンネル情報の分だけ、メモリの容量が必要となる上に、既に登録済みのチャンネル情報の中で不要なものがあっても、上書き登録できないため、その都度チャンネルマップから削除して登録し直すなどの面倒な処理を行う必要があり、使い勝手がよくなかった。
【０００８】
本発明は、上述のごとき実情に鑑みてなされたものであり、放送チャンネルの追加サーチ終了時において、追加サーチにより登録しようとする放送チャンネルと、既に登録されている放送チャンネルとを交互あるいは同時に表示させて比較できるようにしたテレビジョン放送受信装置及び該装置の放送チャンネル追加サーチ方法を提供すること、
より具体的には、放送チャンネルを追加サーチして登録する前の段階において、追加サーチにより放送チャンネルが新たに追加されたチャンネルマップと、既に登録されている放送チャンネルのチャンネルマップとを交互あるいは同時に表示させて、チャンネルマップを更新登録するかどうかをユーザが確認できるようにすること、を目的とする。
【課題を解決するための手段】
【０００９】
上記課題を解決するために、本発明の第１の技術手段は、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置において、前記受信手段により放送チャンネルを追加サーチしたときに、前記第１のチャンネルマップで受信できない放送チャンネルに対応する前記操作入力手段のチャンネル選局キーに対して、前記追加サーチにより新たに受信された放送チャンネルを割り当てて第２のチャンネルマップを生成する手段と、前記第１のチャンネルマップと前記第２のチャンネルマップとを交互あるいは同時に表示する表示手段と、を備えていることを特徴としたものである。
【００１０】
第２の技術手段は、第１の技術手段において、前記表示手段は、前記第１のチャンネルマップと前記第２のチャンネルマップとを所定時間毎に交互に切り替えて表示することを特徴としたものである。
【００１１】
第３の技術手段は、第１の技術手段において、前記表示手段は、前記操作入力手段が備えるチャンネルマップ表示キーによる操作に従って、前記第１のチャンネルマップと前記第２のチャンネルマップとを交互に切り替えて表示することを特徴としたものである。
【００１２】
第４の技術手段は、第２又は第３の技術手段において、前記第１のチャンネルマップと前記第２のチャンネルマップのいずれか一方が表示されているときに、前記操作入力手段が備える決定キーが押下されると、前記第２のチャンネルマップを前記第１のチャンネルマップに上書きして前記記憶手段に登録することを特徴としたものである。
【００１３】
第５の技術手段は、第１の技術手段において、前記表示手段は、前記第１のチャンネルマップと前記第２のチャンネルマップとを所定時間同時に表示することを特徴としたものである。
【００１４】
第６の技術手段は、第１の技術手段において、前記表示手段は、前記操作入力手段が備えるチャンネルマップ表示キーによる操作に従って、前記第１のチャンネルマップと前記第２のチャンネルマップとを同時に表示することを特徴としたものである。
【００１５】
第７の技術手段は、第５又は第６の技術手段において、前記第１のチャンネルマップと前記第２のチャンネルマップとが同時に表示されているときに、前記操作入力手段が備える決定キーが押下されると、前記第２のチャンネルマップを前記第１のチャンネルマップに上書きして前記記憶手段に登録することを特徴としたものである。
【００１６】
第８の技術手段は、第２乃至第７のいずれか１の技術手段において、前記表示手段は、前記第１のチャンネルマップで受信できない放送チャンネルと、前記第２のチャンネルマップで新たに受信された放送チャンネルとが識別可能なように表示することを特徴としたものである。
【００１７】
第９の技術手段は、第１乃至第８のいずれか１の技術手段において、前記操作入力手段は、前記テレビジョン放送受信装置を遠隔操作可能なリモートコントロール装置であることを特徴としたものである。
【００１８】
第１０の技術手段は、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けて第１のチャンネルマップとして記憶する記憶手段とを備えたテレビジョン放送受信装置の放送チャンネル追加サーチ方法において、前記受信手段により放送チャンネルを追加サーチしたときに、前記第１のチャンネルマップで受信できない放送チャンネルに対応する前記操作入力手段のチャンネル選局キーに対して、前記追加サーチにより新たに受信された放送チャンネルを割り当てて第２のチャンネルマップを生成するステップと、前記第１のチャンネルマップと前記第２のチャンネルマップとを交互あるいは同時に表示するステップと、を有することを特徴としたものである。
【発明の効果】
【００１９】
本発明によれば、放送チャンネルの追加サーチ終了時に、追加サーチにより登録しようとする放送チャンネルと、既に登録されている放送チャンネルとを交互あるいは同時に表示させて比較できるため、ユーザは以前の放送チャンネルの登録状態を容易に確認することができる。このため、以前の登録状態を知るために追加サーチを一旦キャンセルし、確認後にもう一度追加サーチをやり直すという無駄な処理（時間）を省略することができる。
また、放送チャンネルを追加サーチして登録する前の段階において、追加サーチにより放送チャンネルが新たに追加されたチャンネルマップと、既に登録されている放送チャンネルのチャンネルマップとを交互あるいは同時に表示させて、チャンネルマップを更新登録するかどうかをユーザが確認できるため、電波状態によってたまたま受信できなかった放送チャンネルが、新たにサーチされた放送チャンネルにより勝手に上書きされることがない。また、逆に、既に登録済みの放送チャンネルの中で不要なものがあれば、これを上書きしてメモリの有効利用を図ることができる。
【発明を実施するための最良の形態】
【００２０】
図１は、本発明の一実施形態に係るテレビジョン放送受信装置の構成例を示すブロック図で、図中、１０はテレビジョン放送受信装置で、該テレビジョン放送受信装置１０は、外部入力端子１１、チューナ１２、セレクタ１３、デコーダ１４、映像処理回路１５、表示部１６、演算部１７、受光部１８、操作部１９、記憶部２０、及びシステムバス２１を備えている。これらの外部入力端子１１、チューナ１２、セレクタ１３、デコーダ１４、映像処理回路１５、表示部１６、演算部１７、受光部１８、操作部１９、及び記憶部２０は、システムバス２１を介して相互に接続され、ＣＰＵ等を備える演算部１７により各部の動作が制御される。
【００２１】
また、図中、３０は操作入力手段（以下、リモコン）で、該リモコン３０は、１〜１２の番号が割り当てられたチャンネル選局キー３１、決定キー３２、メニューキー３３、カーソルキー３４、及びチャンネルマップ表示キー３５を備えている。リモコン３０から送信される操作信号は、テレビジョン放送受信装置１０の受光部１８で受光される。テレビジョン放送受信装置１０は、リモコン３０からの操作信号を受信し、その操作信号に応じた機能を実行する。
【００２２】
図１において、外部入力端子１１は、外部接続される図示しない記録再生装置（チューナ内蔵レコーダなど）と接続し、記録再生装置が備えるチューナからのテレビジョン放送信号を入力するための端子である。チューナ１２は、放送局から送信されてくるテレビジョン放送信号を受信する手段であって、アナログ放送用のチューナ、あるいは、デジタル放送用のチューナであってもよい。また、アナログ放送用及びデジタル放送用の両方のチューナを備える構成としてもよい。
【００２３】
セレクタ１３は、外部入力端子１１からの入力（テレビジョン放送信号）と、チューナ１２からの入力のいずれかの入力（テレビジョン放送信号）を選択的に切り替える手段である。デコーダ１４は、セレクタ１３で選択されたテレビジョン放送信号を復号する手段である。映像処理回路１５は、各種のＯＳＤ情報を生成し、生成したＯＳＤ情報をデコーダ１４で復号されたテレビジョン放送信号に重畳させる処理を行う。
【００２４】
表示部１６は、映像処理回路１５から入力されるテレビジョン放送信号とＯＳＤ情報を表示するＬＣＤ（Ｌｉｑｕｉｄ  Ｃｒｙｓｔａｌ  Ｄｉｓｐｌａｙ：液晶ディスプレイ）などの表示手段である。演算部１７は、テレビジョン放送受信装置１０を構成する各部を制御するためのＣＰＵなどを備える。受光部１８は、リモコン３０からの操作信号（赤外線信号）を受光し、その操作信号を演算部１７に入力する。操作部１９は、テレビジョン放送受信装置１０の本体側に設けられ、本体側から主電源、音量、チャンネル選局などの各種操作を可能とする。
【００２５】
記憶部２０は、半導体メモリなどの記憶媒体であって、外部入力端子１１あるいはチューナ１２から入力されるテレビジョン放送信号の放送チャンネル（以下、チャンネル番号という）を、リモコン３０のチャンネル選局キー３１に対応付けてチャンネルマップとして記憶する。このチャンネルマップとは、例えば、リモコン３０のチャンネル選局キー３１に１〜１２の数字（これをリモコン番号という）が予め割り当てられている場合、このリモコン番号１〜１２に対してチャンネル番号５１，２，…，１１，４４が順に対応付けられたものである。この状態を『現在のチャンネルマップ』２０ａとし（後述の図３参照）、この『現在のチャンネルマップ』２０ａが現在登録されているチャンネルマップであって、本発明の第１のチャンネルマップに相当する。
【００２６】
上記において、リモコン３０を操作するユーザが、例えば、チャンネル選局キー３１のリモコン番号１を選択すると、リモコン番号１に応じたチャンネル番号５１の選局情報がテレビジョン放送受信装置１０に送信される。テレビジョン放送受信装置１０は、チャンネル番号５１に応じたテレビジョン放送信号を受信して、その映像情報を表示部１６から表示させる。
【００２７】
また、記憶部２０には、チャンネル番号の追加サーチを行ったときの追加チャンネルマップも一時的に記憶される。例えば、追加サーチの結果、チャンネル選局キー３１のリモコン番号１，２にそれぞれ割り当てられているチャンネル番号５１，２が受信されず、新たにチャンネル番号４０，１７が受信された場合、受信されないチャンネル番号５１，２に対応するリモコン番号１，２は空き番号として判定され、新たなチャンネル番号４０，１７は上記空き番号であるリモコン番号１，２に割り当てられることになる。この状態を『追加チャンネルマップ』２０ｂとする。これらの『現在のチャンネルマップ』２０ａと『追加チャンネルマップ』２０ｂの状態を後述の図４に示す。
【００２８】
さらに、図４において、『追加チャンネルマップ』２０ｂは、『現在のチャンネルマップ』２０ａと合成され、後述の図５に示す『新規のチャンネルマップ』２０ｃが生成される。この『新規のチャンネルマップ』２０ｃがこれから登録しようとするチャンネルマップであって、本発明の第２のチャンネルマップに相当する。
【００２９】
上述の『現在のチャンネルマップ』２０ａと『新規のチャンネルマップ』２０ｃの画面（ＯＳＤ）情報は、演算部１７からの制御に基づいて、映像処理回路１５で生成され、表示部１６から交互あるいは同時に表示される。
【００３０】
表示部１６は、『現在のチャンネルマップ』２０ａと『新規のチャンネルマップ』２０ｃを所定時間毎に交互に切り替えて表示してもよく、あるいは、リモコン３０が備えるチャンネルマップ表示キー３５による操作に従って、『現在のチャンネルマップ』２０ａと『新規のチャンネルマップ』２０ｃを交互に切り替えて表示するようにしてもよい。この際、『現在のチャンネルマップ』２０ａで受信できないチャンネル番号と、『新規のチャンネルマップ』２０ｃで新たに受信されたチャンネル番号とが識別可能なように表示するようにしてもよい。例えば、該当するチャンネル番号あるいはその背景に色付け表示したり、該当チャンネル番号に対して太字化、斜体化、下線引きなどの各種の表示加工処理を適用することができる。これらの表示加工処理は、映像処理回路１５により実行される。
【００３１】
ここで、『現在のチャンネルマップ』２０ａと『新規のチャンネルマップ』２０ｃのいずれか一方が表示されているときに、リモコン３０が備える決定キー３２が押下されると、『新規のチャンネルマップ』２０ｃを『現在のチャンネルマップ』２０ａに上書きして記憶部２０に登録する。また、リモコン３０の図示しないキャンセルキーが押下された場合、テレビジョン放送受信装置１０は、『新規のチャンネルマップ』２０ｃを登録処理せずに、『現在のチャンネルマップ』２０ａをそのまま保持するものとする。
【００３２】
また、別の実施形態として、表示部１６は、『現在のチャンネルマップ』２０ａと『新規のチャンネルマップ』２０ｃを所定時間同時に表示するようにしてもよく、あるいは、リモコン３０が備えるチャンネルマップ表示キー３５による操作に従って、『現在のチャンネルマップ』２０ａと『新規のチャンネルマップ』２０ｃを同時に表示するようにしてもよい。例えば、リモコン番号１に対して、チャンネル番号５１／チャンネル番号４０（５１／４０）のように、既に登録されているチャンネル番号５１と、これから登録しようとするチャンネル番号４０が識別可能なように表示してもよい。
【００３３】
ここで、『現在のチャンネルマップ』２０ａと『新規のチャンネルマップ』２０ｃが同時に表示されているときに、リモコン３０が備える決定キー３２が押下されると、『新規のチャンネルマップ』２０ｃを『現在のチャンネルマップ』２０ａに上書きして記憶部２０に登録する。また、リモコン３０の図示しないキャンセルキーが押下された場合、テレビジョン放送受信装置１０は、『新規のチャンネルマップ』２０ｃを登録処理せずに、『現在のチャンネルマップ』２０ａをそのまま保持するものとする。
【００３４】
図２は、図１に示したテレビジョン放送受信装置１０の放送チャンネル追加サーチ処理の一例を説明するためのフロー図である。また、図３は、『現在のチャンネルマップ』２０ａの画面表示例を示す図である。以下、図３〜図５において、上段がリモコン３０のチャンネル操作キー３１に割り当てられたリモコン番号（１〜１２）、下段は放送チャンネルのチャンネル番号を示す。
【００３５】
図４は、『現在のチャンネルマップ』２０ａと『追加チャンネルマップ』２０ｂの画面表示例を示す図である。なお、図４において、背景がグレーに色付けされたリモコン番号及びチャンネル番号は、追加サーチによって受信できないチャンネル番号が入っているポジションであることを示す。本例では、リモコン番号１，２，５，７，１１に該当する。
【００３６】
図５は、『現在のチャンネルマップ』２０ａと『追加チャンネルマップ』２０ｂにより合成された『新規のチャンネルマップ』２０ｃの画面表示例を示す図である。なお、図５において、背景がグレーに色付けされたチャンネル番号に対応するリモコン番号は、追加サーチによって新たに受信されたチャンネル番号が入っているポジションであることを示す。本例では、リモコン番号１，２，５，７に該当する。ここでは、追加サーチによって新たに受信されたチャンネル番号が４０，１７，３９，４７の４つであるため、リモコン番号１から順にリモコン番号２，５，７に割り当てられる。ここで、追加サーチによって、リモコン番号１１に対応するチャンネル番号１１は受信されなかったが、新たに受信されたチャンネル番号の割り当てがないため、既に登録されているチャンネル番号１１がそのまま割り当てられる。
【００３７】
図２において、まず、ユーザは、リモコン３０を操作して、メニューキー３３を押下して、テレビジョン放送受信装置１０にメニューを表示させ、該メニューに含まれる「チャンネル追加」の項目を選択する（ステップＳ１）。これに応じて、テレビジョン放送受信装置１０は、図３に示す『現在のチャンネルマップ』２０ａ、すなわち、現在のチャンネル選局キー３１毎のチャンネル番号を表示する（ステップＳ２）。
【００３８】
次に、テレビジョン放送受信装置１０は、放送チャンネルの追加サーチを行い（ステップＳ３）、追加サーチ用の空のチャンネルマップを表示し（ステップＳ４）、『追加プリセット処理開始』、すなわち、追加サーチした結果、所定の放送チャンネル（本例では、チャンネル番号４０，１７，３９，４７）がサーチされたら、図４に示すように、空きポジション（リモコン番号１，２，５，７）に表示する（ステップＳ５）。なお、図４の『現在のチャンネルマップ』２０ａにおいて、背景がグレーに色付けされたリモコン番号１，２，５，７，１１は、追加サーチによって受信できないチャンネル番号（５１，２，５，７，１１）が入っているポジションであることを示す。
【００３９】
次に、テレビジョン放送受信装置１０は、図４に示す『現在のチャンネルマップ』２０ａと『追加チャンネルマップ』２０ｂを合成し、その結果得られる図５に示す『新規のチャンネルマップ』２０ｃを表示する（ステップＳ６）。なお、図５の『新規のチャンネルマップ』２０ｃにおいて、背景がグレーに色付けされたチャンネル番号（４０，１７，３９，４７）は、追加サーチによって新たに受信されたもので、空き番号と判定されたリモコン番号１，２，５，７に割り当てられ、その他のリモコン番号とチャンネル番号はそのまま保持される。
【００４０】
次に、テレビジョン放送受信装置１０は、一定時間毎に、ステップＳ２に示す画面（すなわち、図３に示す『現在のチャンネルマップ』２０ａ）と、ステップＳ６に示す画面（すなわち、図５に示す『新規のチャンネルマップ』２０ｃ）とを交互に表示する（ステップＳ７）。なお、ユーザがリモコン３０のチャンネルマップ表示キー３５を押下することにより、『現在のチャンネルマップ』２０ａと『新規のチャンネルマップ』２０ｃを交互に切り替えて表示するようにしてもよい。あるいは、『現在のチャンネルマップ』２０ａと『新規のチャンネルマップ』２０ｃを識別可能に同時表示させるようにしてもよい。
【００４１】
上記のように、『現在のチャンネルマップ』２０ａと『新規のチャンネルマップ』２０ｃのいずれか一方が表示されているときに、テレビジョン放送受信装置１０は、ユーザによってリモコン３０の決定キー３２が押下されたかどうかを判断し（ステップＳ８）、決定キー３２が押下されたと判断した場合（ＹＥＳの場合）、追加プリセットされたチャンネルマップ、すなわち、『新規のチャンネルマップ』２０ｃを記憶部２０に登録する処理を行う（ステップＳ９）。また、上記ステップＳ８において、リモコン３０の決定キー３２が押下されないと判断した場合（ＮＯの場合）、ステップＳ７に戻り処理を繰り返す。
【００４２】
また、リモコン３０の図示しないキャンセルキーが押下された場合、テレビジョン放送受信装置１０は、『新規のチャンネルマップ』２０ｃを登録処理せずに、『現在のチャンネルマップ』２０ａをそのまま保持するものとする。
【００４３】
以上に説明したように、本発明によれば、放送チャンネルの追加サーチ終了時に、追加サーチにより登録しようとする放送チャンネルと、既に登録されている放送チャンネルとを交互あるいは同時に表示させて比較できるため、ユーザは以前の放送チャンネルの登録状態を容易に確認することができる。このため、以前の登録状態を知るために追加サーチを一旦キャンセルし、確認後にもう一度追加サーチをやり直すという無駄な処理（時間）を省略することができる。
【００４４】
また、放送チャンネルを追加サーチして登録する前の段階において、追加サーチにより放送チャンネルが新たに追加されたチャンネルマップと、既に登録されている放送チャンネルのチャンネルマップとを交互あるいは同時に表示させて、チャンネルマップを更新登録するかどうかをユーザが確認できるため、電波状態によってたまたま受信できなかった放送チャンネルが、新たにサーチされた放送チャンネルにより勝手に上書きされることがない。また、逆に、既に登録済みの放送チャンネルの中で不要なものがあれば、これを上書きしてメモリの有効利用を図ることができる。
【図面の簡単な説明】
【００４５】
【図１】本発明の一実施形態に係るテレビジョン放送受信装置の構成例を示すブロック図である。
【図２】図１に示したテレビジョン放送受信装置の放送チャンネル追加サーチ処理の一例を説明するためのフロー図である。
【図３】『現在のチャンネルマップ』の画面表示例を示す図である。
【図４】『現在のチャンネルマップ』と『追加チャンネルマップ』の画面表示例を示す図である。
【図５】『現在のチャンネルマップ』と『追加チャンネルマップ』により合成された『新規のチャンネルマップ』の画面表示例を示す図である。
【符号の説明】
【００４６】
１０…テレビジョン放送受信装置、１１…外部入力端子、１２…チューナ、１３…セレクタ、１４…デコーダ、１５…映像処理回路、１６…表示部、１７…演算部、１８…受光部、１９…操作部、２０…記憶部、２０ａ…現在のチャンネルマップ、２０ｂ…追加チャンネルマップ、２０ｃ…新規のチャンネルマップ、２１…システムバス、３０…操作入力手段（リモコン）、３１…チャンネル選局キー、３２…決定キー、３３…メニューキー、３４…カーソルキー、３５…チャンネルマップ表示キー。
【図１】
2007060056.tif 000003
【図２】
2007060056.tif 000004
【図３】
2007060056.tif 000005
【図４】
2007060056.tif 000006
【図５】
2007060056.tif 000007